【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
補聴装置において：外部の印加電場に応じて、第１および第２の面の間の変形軸に沿って収縮および拡張するように構成された変形可能部材と；前記変形可能部材を支持するとともに、前記変形可能部材を蝸牛の近くの骨組織の第１および離れた第２の部分に堅固に結合するように構成された固定アセンブリであって、前記外部の印加電場のプロファイルに応じて前記変形可能部材が収縮および拡張するときに、前記第１および第２の面の間の前記変形軸に沿った前記変形可能部材の変形プロファイルが、直接的に蝸牛の振動を刺激するようになっている固定アセンブリと；を具えることを特徴とする補聴装置。
【請求項２】
請求項１に記載の装置において、前記固定アセンブリが第１および第２の固定具を具えており、当該第１および第２の固定具が、前記変形可能部材の第１および第２の面を、前記蝸牛の近くの骨組織の第１および離れた第２の部分に、それぞれ堅固に結合するように構成され、これにより、前記変形軸に沿った変形可能部材の収縮と拡張が、前記第１および離れた第２の部分の少なくとも一方を、他方に向けて、および他方から離れるように動かすことを特徴とする装置。
【請求項３】
請求項２に記載の装置において、前記第１および第２の固定具の一方が、前記変形可能部材の第１の面に関連するアンカーユニットを具え、前記第１および第２の固定具の他方が、前記変形可能部材の反対側の第２の面に関連していることを特徴とする装置。
【請求項４】
請求項３に記載の装置において、前記アンカーユニットが、第１および反対側の第２の端部を有し、前記第１の端部が前記変形可能部材の第１の面と堅固に結合し、前記第２の端部が前記骨組織の第１の部分に堅固に結合するように構成され；前記第２の固定具が、第１および反対側の第２の面を有する接合ユニットを具え、この第１の面が、前記変形可能部材の第２の面に堅固に結合し、前記接合ユニットの第２の面が、前記骨組織の第２の部分に堅固に結合するように構成されていることを特徴とする装置。
【請求項５】
請求項３または４に記載の装置において、前記第１の固定具が、前記蝸牛の一部である前記骨組織の第１の部分に結合するように構成され、前記第２の固定具が、上鼓室の一部または頭蓋骨の一部のいずれかである前記骨組織の第２の部分に結合するように構成されていることを特徴とする装置。
【請求項６】
請求項３乃至５のいずれか１項に記載の装置において、前記第１の固定具が、内耳カプセルの一部に結合するように構成されていることを特徴とする装置。
【請求項７】
請求項１に記載の装置において、前記固定アセンブリが、第１および第２の一体型の端部と、当該第１および第２の端部の間の中間部分とを有する剛性部材を具え、前記固定アセンブリの第１および第２の端部が、前記蝸牛の骨組織の第１および離れた第２の部分に堅固に結合するように構成され、前記中間部分が凹部を画定しており、前記変形可能部材が、前記変形可能部材の第１の面で前記中間部分に連結して前記凹部に収容され、前記装置が所定の位置に設置されたときに、前記変形可能部材は、その反対側の第２の面で、前記第１および第２の部分の間の蝸牛の領域と直接的に相互作用するように構成され、前記変形可能部材の第１の面と第２の面とを接続している前記変形軸に沿った前記変形可能部材の収縮と拡張が、前記蝸牛の対応する振動を直接的に生じさせることを特徴とする装置。
【請求項８】
請求項１乃至７のいずれか１項に記載の装置において、前記変形可能部材が、前記印加電場に応答する圧電構造を具えることを特徴とする装置。
【請求項９】
請求項１乃至８のいずれか１項に記載の装置が、電子システムであって、音圧波を受信して対応する動作信号を前記変形可能部材に送信し、これにより受信した前記音圧波を表す前記変形可能部材の変形プロファイルを生じさせる電子システムを具えることを特徴とする装置。
【請求項１０】
請求項９に記載の装置において、前記電子システムが、音圧波を受信してこれを表す電気出力を生成するマイクと、前記信号を増幅して、当該信号の所望のスペクトルプロファイルを提供するように構成された信号処理装置とを具えることを特徴とする装置。
【請求項１１】
請求項９または１０に記載の装置において、前記電子システムがマイクを具え、当該マイクが、個人の外耳道に配置され、少なくとも前記電子システムの他の部品に接続可能であるように構成されていることを特徴とする装置。
【請求項１２】
補聴装置において：
第１の面および反対側の第２の面を有する変形可能部材であって、外部の印加電場に応じて、前記第１および反対側の第２の面を通る変形軸に沿って収縮および拡張するように構成された変形可能部材と；
前記変形可能部材を、前記変形可能部材の第１および第２の面でそれぞれ、蝸牛の近くの骨組織の第１および離れた第２の部分に、堅固に結合するように構成された第１および第２の固定具を有する固定アセンブリと；を具え、
前記印加電場のプロファイルに応じた、前記変形軸に沿った変形可能部材の収縮と拡張の変形プロファイルが、前記固定アセンブリの対応する動きを引き起こし、前記骨組織の第１および離れた第２の部分の少なくとも一方を、他方に向けて、および他方から離れるように動かし、直接的な蝸牛の振動を生じさせることを特徴とする装置。
【請求項１３】
補聴装置において：
第１の面および反対側の第２の面を有する変形可能部材であって、外部の印加電場に応じて、前記第１および反対側の第２の面を通る変形軸に沿って収縮および拡張するように構成された変形可能部材と；
ブリッジ状の剛性部材を具える固定アセンブリであって、前記ブリッジ状の剛性部材が、第１および第２の端部と、当該第１および第２の端部の間の中間部分とを有しており、前記固定アセンブリの第１および第２の端部が、蝸牛の骨組織の第１および離れた第２の部分と堅固に結合するように構成され、前記中間部分が凹部を画定して、前記変形可能部材が、前記変形可能部材の第１および第２の面の一方で前記中間部分に連結して前記凹部に収容されるように構成された固定アセンブリと；を具え、
前記装置が所定の位置に設置されたときに、前記変形可能部材は、その反対側の第２の面で、前記第１および離れた第２の部分の間の蝸牛の領域と直接的に相互作用するように構成され、前記印加電場のプロファイルに応じた、前記変形軸に沿った前記変形可能部材の収縮と拡張の変形プロファイルが、前記蝸牛の対応する振動を直接的に生じさせることを特徴とする装置。
【請求項１４】
個人の聴き取りの効率を向上させるシステムにおいて、当該システムが：
直接的な蝸牛の振動刺激のための、少なくとも請求項１乃至１３のいずれか１項に記載の補聴装置を具える埋め込み可能な聴取装置と；
音圧波を受信して対応する動作信号を前記変形可能部材に送信し、これにより受信した前記音圧波を表す前記変形可能部材の変形プロファイルを生じさせる電子システムと；
を具えることを特徴とするシステム。
【請求項１５】
請求項１４に記載のシステムにおいて、前記電子システムが、特定の個人の所定の要件にかかる動作信号の１または複数のパラメータを調整可能に構成されていることを特徴とするシステム。
【請求項１６】
請求項１４または１５に記載のシステムにおいて、前記埋め込み可能な聴取装置が、さらに、直接的に蝸牛を電気刺激するように構成された追加的な補聴装置を具えることを特徴とするシステム。
【請求項１７】
請求項１６に記載のシステムにおいて、前記電子システムが、前記動作信号を、前記２つの補聴装置に供給される周波数帯の異なる２つの個別の部分の形で生成するスペクトルスプリッターを具えることを特徴とするシステム。
【請求項１８】
請求項１４乃至１７のいずれか１項に記載のシステムにおいて、前記電子システムが、音圧波を受信してこれを表す電気出力を生成するマイクと、前記信号を増幅して、当該信号の所望のスペクトルプロファイルを提供するように構成された信号処理装置とを具えることを特徴とするシステム。
【請求項１９】
請求項１４乃至１８のいずれか１項に記載のシステムにおいて、前記電子システムがマイクを具え、当該マイクが、個人の外耳道に配置され、中耳内に配置された前記電子システムの少なくとも他の部品に接続可能であるように構成されていることを特徴とするシステム。